(57)【要約】【課題】  １台の投光機１で、通行車両等に対し注意を喚起できると同時に、夜間作業者に対しても十分な光量を供給することができる投光機１を提供することを目的とする。【解決手段】  バルーン２と、該バルーン２に内蔵された発光体と、該バルーン２を膨らませる空気を供給する駆動部とからなる照明装置３と、該照明装置３を先端に連結した伸縮自在の支柱４と、前記照明装置３に給電するための電源装置５と、を備えた投光機１において、前記支柱４に複数のライト14を備え、前記照明装置３は第１の伸縮支持部材21の先端に備えられ、前記ライト14は第２の伸縮支持部材25の先端に備えられ、前記第１の伸縮支持部材21と前記第２の伸縮支持部材25とが一体的に前記支柱４の先端に回動自在に設けられている。【選択図】図１
2006092753.tif 000002
【特許請求の範囲】
【請求項１】
バルーンと、該バルーンに内蔵された発光体と、該バルーンを膨らませる空気を供給する駆動部とからなる照明装置と、該照明装置を先端に連結した伸縮自在の支柱と、前記照明装置に給電するための電源装置と、を備えた投光機において、前記支柱に複数のライトを備えたことを特徴とする投光機。
【請求項２】
前記ライトは、前記支柱の先端に水平方向に設けられた腕部材に備えられることを特徴とする請求項１記載の投光機。
【請求項３】
前記ライトは、前記腕部材の長手方向に移動可能に設けられることを特徴とする請求項２記載の投光機。
【請求項４】
前記ライトは、前記腕部材に上下動自在及び又は回動自在に設けられることを特徴とする請求項２又は３記載の投光機。
【請求項５】
前記照明装置は、前記支柱の先端に水平方向に設けられた照明用腕部材に備えられることを特徴とする請求項１乃至４いずれか１項記載の投光機。
【請求項６】
前記照明装置は、前記照明用腕部材の長手方向に移動可能に設けられることを特徴とする請求項５記載の投光機。
【請求項７】
前記照明装置は、前記照明用腕部材に上下動自在及び又は回動自在に設けられることを特徴とする請求項５又は６記載の投光機。
【請求項８】
前記照明装置は、前記支柱の先端に回動自在に設けられた第１の伸縮支持部材に備えられ、前記ライトは、前記支柱の先端に回動自在に設けられた第２の伸縮支持部材に備えられることを特徴とする請求項１記載の投光機。
【発明の詳細な説明】
【技術分野】
【０００１】
本発明は、道路工事など屋外で使用される照明装置である投光機であって、特に、発光体を内蔵したバルーンを空気で膨らませた照明装置を使用したものに関するものである。
【背景技術】
【０００２】
従来、この種の道路工事やスポーツ施設などの夜間照明として使用される投光機として、発電機を搭載する台車に伸縮支柱を立設し、該伸縮支柱の上端に、電球の光を反射板により前方を向けて投光する照明装置を装備したものであって、バルーンと該バルーンを膨らませる給気手段と、バルーンに内蔵された電球とを備えていているものが開示されている（例えば特許文献１）。
【特許文献１】特開２００３−３６７０９
【発明の開示】
【発明が解決しようとする課題】
【０００３】
しかしながら、上記した投光機においても、バルーンに内蔵された電球によりもたらされる光は歩行者や通行車両の運転者に対して注意を喚起するには十分であるものの、バルーンを通過することによって光がやわらぐため、その光は工事作業者が夜間作業を行なうに際して十分な光量とはいえず、工事作業者に対しては別途、ライトを備えた投光機を設置する必要があった。ところが、投光機を複数台設置するには当然ながら設置場所、保管場所を余計に必要とし、作業の邪魔となるばかりでなく、歩行者及び通行車両用の通り道を狭め、さらに、移動に必要な労力を増大させ、事故の原因になるという懸念があった。また、それぞれに発電機を備えているため、特に住宅地における工事においては騒音が大きくなるという懸念もあった。
【０００４】
そこで、本発明は上記した問題点に鑑み、１台の投光機で、通行車両等に対し注意を喚起できると同時に、夜間作業者に対しても十分な光量を供給することができる投光機を提供することを目的とする。
【課題を解決するための手段】
【０００５】
上記目的を達成するために、請求項１に係る投光機は、バルーンと、該バルーンに内蔵された発光体と、該バルーンを膨らませる空気を供給する駆動部とからなる照明装置と、該照明装置を先端に連結した伸縮自在の支柱と、前記照明装置に給電するための電源装置と、を備えた投光機において、前記支柱に複数のライトを備えたことを特徴とする。
【０００６】
また、請求項２に係る投光機は、前記ライトが、前記支柱の先端に水平方向に設けられた腕部材に備えられる。
【０００７】
また、請求項３に係る投光機は、前記ライトが、前記腕部材の長手方向に移動可能に設けられる。
【０００８】
また、請求項４に係る投光機は、前記ライトが、前記腕部材に上下動自在及び又は回動自在に設けられる。
【０００９】
また、請求項５に係る投光機は、前記照明装置が、前記支柱の先端に水平方向に設けられた照明用腕部材に備えられる。
【００１０】
また、請求項６に係る投光機は、前記照明装置が、前記照明用腕部材の長手方向に移動可能に設けられる。
【００１１】
また、請求項７に係る投光機は、前記照明装置が、前記照明用腕部材に上下動自在及び又は回動自在に設けられる。
【００１２】
また、請求項８に係る投光機は、前記照明装置が、前記支柱の先端に回動自在に設けられた第１の伸縮支持部材に備えられ、前記ライトが、前記支柱の先端に回動自在に設けられた第２の伸縮支持部材に備えられる。
【発明の効果】
【００１３】
本発明の請求項１記載の投光機は、照明装置と複数のライトとを備えたので、通行車両等に対し注意を喚起できると同時に、夜間作業者に対しても十分な光量を供給することができる。
【００１４】
また、請求項２に記載の投光機は、腕部材に複数のライトを備えたので、投光機のバランスを良好に保つことができる。
【００１５】
また、請求項３に記載の投光機は、位置決めの自由度が増えるので、ライトをより容易に位置決めすることができる。
【００１６】
また、請求項４に記載の投光機は、ライトを腕部材に対し上下動及び回動させ、任意の高さ及び方向に位置決めすることができる。
【００１７】
また、請求項５に記載の投光機は、照明用腕部材に照明装置を設けたので、前記ライトと照明装置とが干渉することがなく、使い勝手を向上できる。
【００１８】
また、請求項６に記載の投光機は、位置決めの自由度が増えるので、照明装置をより容易に位置決めすることができる。
【００１９】
また、請求項７に記載の投光機は、照明装置を照明用腕部材に対し上下動及び回動させ、任意の高さ及び方向に位置決めすることができる。
【００２０】
また、請求項８に記載の投光機は、支柱の先端に設けた照明装置とライトを回動して格納できるから、保管場所を小さくでき、さらに移動を容易に行なえる。
【発明を実施するための最良の形態】
【００２１】
以下図面を参照して、本発明の好適な実施形態について説明する。図１は本発明の実施形態に係る投光機を示す側面図であり、使用状態を示す図である。図２は投光機を示す平面図である。
【００２２】
まず、本発明に係る投光機１の全体構成について説明する。投光機１は、バルーン２と、該バルーン２に内蔵された発光体（図示しない）と、該バルーン２を膨らませる空気を供給する駆動部（図示しない）とからなる照明装置３と、該照明装置３を先端に連結した伸縮自在の支柱４と、前記照明装置３に給電するための電源装置５とからなり、前記支柱４に複数のライトが備えられている。
【００２３】
前記電源装置５は、例えば図示しないがエンジンと発電機とからなる発電装置または、バッテリ、燃料電池等であって、複数の車輪６を回動自在に下部に備えており、上部には電源装置５を吊り上げるための吊り具７を備え、台車８に前記車輪６を車止め９で固定して据付けられている。前記台車８には複数からなる大型の車輪10が備えられ、台車８の前側には前記電源装置５に備えられた車輪６を固定する前記車止め９を設け、台車８の後側には台車８を前記大型車輪10により移動する際に台車８を押すための把手11と、前記伸縮自在の支柱４が固定されている。
【００２４】
前記支柱４は、中空の第１の支柱4aが垂直に立設され、前記第１の支柱4a内に外径を逐次小さくした第２の支柱4bを前記第１の支柱4aに対し摺動可能に設け、必要に応じ、第３の支柱4c、および図示しない第４、第５の支柱を順次同様に設ける。前記支柱４に付設された昇降ハンドル12と、支柱４に内臓された図示しない昇降手段とがワイヤ13で接続され、昇降ハンドル12の操作によって照明装置３の高さを選択的に設定できるようにｎ本からなる支柱４によって形成されている。この支柱４の上端には、前記照明装置３と複数のライト14とが備えられている。
【００２５】
前記照明装置３は水平方向に配置された照明用腕部材である第１の伸縮支持部材21の一端に上下動自在及び又は回動自在に設けられ、前記第１の伸縮支持部材21の他端は保持部材22に固定されており、台車８の後側に配置されている。尚、前記第１の伸縮支持部材21には照明装置３を上下方向及び又は回動方向に固定する図示しない固定手段が設けられる。前記保持部材22の前記第１の伸縮支持部材21が固定されていない面には、複数の前記ライト14を台車８の左右方向に離して支持するための横架部材23の一端が固定されている。前記横架部材23は略中央で支軸部26を介して前記支柱４の先端に回動自在に設置されている。
【００２６】
前記横架部材23の他端には、前記ライト14を台車８の前側に支持するための腕部材24が台車８前方に突き出す態様で固設されている。該腕部材24の先端には第２の伸縮支持部材25が上下動自在及び又は回動自在に設けられている。尚、前記腕部材にはライト14を上下方向及び又は回動方向に固定する図示しない固定手段が設けられる。前記腕部材24は、その先端において前記第２の伸縮支持部材が設けられる内筒24aと、その基端において前記横架部材23に固定される外筒24bとからなり、前記内筒24aは前記外筒24b内に遊嵌され、外筒21bに対する内筒21aの突き出しを調節することによって全長を所定長さにし、図示しないストッパにより固定される。前記第２の支持部材25の先端にはライト14が備えられている。これにより、前記腕部材24は、前記横架部材23を基準として伸縮し、腕部材24が伸縮すると、前記第２の伸縮支持部材25は腕部材24の長手方向に移動し、同時に前記ライト14が腕部材24の長手方向に移動する。前記支軸部26は、通常の使用状態において、前記第１の伸縮支持部材21および前記腕部材24が水平方向に位置する角度に、図示しない固定手段によって固定される。このような構成により、前記第１の伸縮支持部材21と前記第２の伸縮支持部材25とは、前記保持部材22と前記横架部材23と腕部材24と支軸部26とを介して前記支柱４の先端に回動自在に設けられる。
【００２７】
前記第１の伸縮支持部材21は、その先端において照明装置３と固定される内筒21aと、前記保持部材22に固定されている外筒21bとからなり、前記内筒21aは外筒21b内に遊嵌され、外筒21bに対する内筒21aの突き出しを調節することによって全長を所定長さにし、図示しないストッパにより固定される。これにより、前記第１の伸縮支持部材21は、前記横架部材23を基準として伸縮し、第１の伸縮支持部材21が伸縮すると、前記照明装置３は前記第１の伸縮支持部材21の長手方向に移動する。同様に、前記第２の伸縮支持部材25は、その先端においてライト14を固定する内筒25aと、前記腕部材24に固定されている外筒25bとからなり、前記内筒25aは外筒25b内に遊嵌され、外筒25bに対する内筒25aの突き出しを調節することによって全長を所定長さにし、図示しないストッパにより固定される。また、前記第２の伸縮支持部材25の先端は把持部材27が設けられており、該把持部材27により前記ライト14が天地方向に回動自在に狭持されている。
【００２８】
前記ライト14は、図示しない発光体と該発光体に電力を供給するコード（図示しない）と、前記発光体を接続するソケット28と、発光体の光を反射する反射鏡（図示しない）と、前記発光体を保護するカバー29とからなり、前記ライト14は前記カバー29において前記把持部材27と回動自在に軸支され、前記反射鏡により方向性を有し、選択的に回動することによって特定の一方向を照射することができるものである。
【００２９】
このように構成することによって、図２に示すように、台車８の後側に前記照明装置３を備え、同時に、台車８の前側に２つの前記ライト14を備えることができるので、１台の電源装置５において、バルーン２を備えた照明装置３により広範囲にわたって周囲に光を供給できると同時に、前側に備えた２つのライト14により、光を当てる箇所を限定して、より効率的にかつ十分な明るさの光を供給することができる。
【００３０】
また、前記照明装置３は支柱４の長さを伸縮することで調節できるとともに、さらに、前記ライト14は第２の伸縮支持部材25の長さを調節することにより、適当な高さを保持でき、しかも、前記ライト14は把持部材27においてライト14を天地方向に回動できるので、２つのライト14の向きをそれぞれ調節することができ、必要な箇所に限定して光を供給できる。なお、前記把持部材27を前記第２の伸縮支持部材25に回動自在に設けてもよい。こうすることによって、ライト14を垂直軸を中心として回動できるので、ライト14の方向を決める自由度を増すことができ、より使い勝手を良くすることができる。
【００３１】
次に、上記した実施形態における作用について説明する。
【００３２】
電源装置５の起動スイッチ（図示しない）をオンにすると、エンジンが起動しその出力軸に連結された発電機が蓄電を行い、該発電機に内蔵されたバッテリ（図示しない）に充電される。電源供給スイッチ（図示しない）をオンにすることによってバッテリから前記照明装置３及び又は前記ライト14に電力が供給され、照明装置３に内蔵された前記駆動部によってバルーン２内に空気が供給されバルーン２を膨らませ、同時に発光体を点灯させる。
【００３３】
一方、前記照明装置３は内筒21aを外筒21bから引き出し第１の伸縮支持部材21の長さを調節しストッパにより固定され、台車５後方へ突き出される。さらに、前記第１の伸縮支持部材21に設けられた図示しない固定手段を解除し、前記照明装置３を上下動または回動させ、所望の位置に固定することができる。また、前記ライト14は、内筒24aを外筒24bから引き出し腕部材24の長さを調節しストッパにより固定し、台車５前方に突き出され、さらに、内筒25aを外筒25bから引き出し第２の伸縮支持部材25の長さを調節しストッパにより固定され、台車５上方へ押し上げられる。また、前記腕部材に設けられた図示しない固定手段を解除し、前記ライトを上下動または回動させ、所望の位置に固定することができる。次いで、昇降ハンドル12を側面視において時計周りに回動しワイヤ13を昇降装置に供給することによって昇降装置が伸び支柱４を伸長させることができる。所望の高さまで前記支柱４を伸長したら、図示しないストッパにより支柱４を固定する。このとき、前記ライト14の向きを天地方向および水平方向に適宜調節することができる。
【００３４】
このようにして、１台の電源装置５において、バルーン２を備えた照明装置３により広範囲にわたって周囲に光を供給できると同時に、前側に備えた２つのライト14により、光を当てる箇所および方向を指定して、より効率的にかつ十分な明るさの光を供給することができる。
【００３５】
次に、前記投光機１を格納する場合について図３、図４を参照して説明する。図３は投光機を示す側面図であり、照明装置及びライトを回動した状態を示す図である。図４は投光機を示す側面図であり、伸縮支持部材を収縮して照明装置及びライトを格納した状態を示す図である。
【００３６】
電源供給ボタンをオフし、発光体を消灯し駆動部を停止する。次いで、昇降ハンドル12を側面視において反時計回りに回動しワイヤ13を巻き上げることによって前記支柱４を初期状態まで収縮し、その状態でストッパにより長さを固定する。さらに、前記支軸部26を中心として前記照明装置３および前記ライト14を前側に格納することができる。すなわち前記固定手段を解除し、前記支軸部26を中心として前記第１の伸縮支持部材21および第２の伸縮支持部材25を図示しないストッパに腕部材24が制限されるまで（略９０°）天地方向に回動することによって前側に前記照明装置３および前記ライト14を格納することができる。このようにすることで、台車８の平面上に前記照明装置３および前記ライト14を納めることができるので、台車８による移動を容易にでき、保管場所を小さくすることができる。さらに、前記第１の伸縮支持部材21、前記腕部材24及び前記第２の伸縮支持部材25を収縮することによって、すなわち、ストッパによる固定を解除し、内筒21a,24a,25aを外筒21b,24b,25bに進入させることによって前記第１の伸縮支持部材21、腕部材24および前記第２の伸縮支持部材25の全長を収縮し、よりコンパクトに格納することができる。このとき、バルーン２を畳むことで、第１の伸縮支持部材21を最短まで収縮することができ、上方においてもよりコンパクトに格納できる。
【００３７】
上記のように本発明に係る投光機は、請求項１に対応して、バルーンと、該バルーンに内蔵された発光体と、該バルーンを膨らませる空気を供給する駆動部とからなる照明装置と、該照明装置を先端に連結した伸縮自在の支柱と、前記照明装置に給電するための電源装置と、を備えた投光機において、前記支柱に複数のライトを備えたから、照明装置と複数のライトとを備えたので、通行車両等に対し注意を喚起できると同時に、夜間作業者に対しても十分な光量を供給することができる。
【００３８】
また、請求項２に対応して、前記ライトが、前記支柱の先端に水平方向に設けられた腕部材に備えられるから、腕部材に複数のライトを備えたので、投光機のバランスを良好に保つことができる。
【００３９】
また、請求項３に対応して、前記ライトが、前記腕部材24の長手方向に移動可能に設けられるから、位置決めの自由度が増えるので、ライトをより容易に位置決めすることができる。
【００４０】
また、請求項４に対応して、前記ライトが、前記腕部材に上下動自在及び又は回動自在に設けられるから、ライトを腕部材に対し上下動及び回動させ、任意の高さ及び方向に位置決めすることができる。
【００４１】
また、請求項５に対応して、前記照明装置が、前記支柱の先端に水平方向に設けられた照明用腕部材に備えられるから、照明用腕部材に照明装置を設けたので、前記ライトと照明装置とが干渉することがなく、使い勝手を向上できる。
【００４２】
また、請求項６に対応して、前記照明装置が、前記第１の伸縮支持部材21の長手方向に移動可能に設けられるから、位置決めの自由度が増えるので、照明装置をより容易に位置決めすることができる。
【００４３】
また、請求項７に対応して、前記照明装置が、前記照明用腕部材に上下動自在及び又は回動自在に設けられるから、照明装置を照明用腕部材に対し上下動及び回動させ、任意の高さ及び方向に位置決めすることができる。
【００４４】
また、請求項８に対応して、前記照明装置が、前記支柱の先端に回動自在に設けられた第１の伸縮支持部材に備えられ、前記ライトが、前記支柱の先端に回動自在に設けられた第２の伸縮支持部材に備えられるから、支柱の先端に設けた照明装置とライトを回動して格納できるから、保管場所を小さくでき、さらに移動を容易に行なえる。
【００４５】
本発明は、本実施形態に限定されるものではなく、本発明の要旨の範囲内で種々の変形実施が可能である。
【図面の簡単な説明】
【００４６】
【図１】本発明の実施形態に係る投光機を示す側面図であり、使用状態を示す図である。
【図２】同上、投光機を示す平面図である。
【図３】同上、投光機を示す側面図であり、照明装置及びライトを回動した状態を示す図である。
【図４】同上、投光機を示す側面図であり、伸縮支持部材を収縮して照明装置及びライトを格納した状態を示す図である。
【符号の説明】
【００４７】
１    投光機
２    バルーン
３    照明装置
４    支柱
５    電源装置
14    ライト
21    第１の伸縮支持部材（照明用腕部材）
24    腕部材
25    第２の伸縮支持部材
【図１】
2006092753.tif 000003
【図２】
2006092753.tif 000004
【図３】
2006092753.tif 000005
【図４】
2006092753.tif 000006